(57)【要約】【課題】デジタルビデオカメラ等でメディアへの記録と同時に動画共有サイト等への投稿に適したフォーマットで記録することができ、通信手段を備えることでＰＣを介することなく他機器へ送信することができる。【解決手段】音声画像データの記録を行う装置であって、画像を入力するカメラ部１０１と、カメラ部１０１が撮影した画像を高画質で圧縮する高画質符号化部１０２と、高画質符号化部１０２が出力する動画像データを記録する高画質データ記憶部１０３と、高画質記録中に低画質記録を開始あるいは停止する低画質符号化制御部１０４と、カメラ部１０１が撮影した画像を低画質符号化制御部１０４の指示に従い低画質で圧縮する低画質符号化部１０５と、低画質符号化部１０５が出力する動画像データを記録する低画質データ記憶部１０６と、低画質データ記憶部１０６に記録された動画像データを他機器へ転送する通信部１０７とを備えるものである。【選択図】図１
2010021774.tif 000002
【特許請求の範囲】
【請求項１】
音声画像データの記録を行う装置であって、
画像を入力するカメラ部と、
前記カメラ部が撮影した画像を高画質で圧縮する高画質符号化部と、
前記高画質符号化部が出力する動画像データを記録する高画質データ記憶部と、
高画質記録中に低画質記録を開始あるいは停止する低画質符号化制御部と、
前記カメラ部が撮影した画像を前記低画質符号化制御部の指示に従い低画質で圧縮する低画質符号化部と、
前記低画質符号化部が出力する動画像データを記録する低画質データ記憶部と、
前記低画質データ記憶部に記録された動画像データを他機器へ転送する通信部と、
を備える音声画像記録装置。
【請求項２】
前記低画質符号化部は、前記低画質符号化制御部において記録開始した時点より一定時間前に出力した動画像データから前記低画質データ記憶部に記憶することを特徴とする請求項１記載の音声画像記録装置。
【請求項３】
音声画像データの記録を行う装置であって、
画像を入力するカメラ部と、
前記カメラ部が撮影した画像を高画質で圧縮する高画質符号化部と、
前記高画質符号化部が出力する動画像データを記録する高画質データ記憶部と、
高画質記録中に低画質記録を開始あるいは停止する低画質符号化制御部と、
前記カメラ部が撮影した画像を前記低画質符号化制御部の指示に従い低画質で圧縮する低画質符号化部と、
前記低画質符号化部が出力する動画像データを記録する低画質データ記憶部と、
前記低画質符号化部が出力する動画像データを過去に記録した低画質データとシームレス接続する情報を生成するシームレス情報生成部と、
前記低画質データ記憶部に記録された動画像データを他機器へ転送する通信部と、
を備える音声画像記録装置。
【請求項４】
音声画像データの記録を行う装置であって、
画像を入力するカメラ部と、
前記カメラ部が撮影した画像を高画質で圧縮する高画質符号化部と、
前記高画質符号化部が出力する動画像データを記録する高画質データ記憶部と、
高画質記録中に音声が一定条件を満たした場合に低画質記録を開始あるいは停止する音声検出部と、
前記カメラ部が撮影した画像を前記音声検出部の指示に従い低画質で圧縮する低画質符号化部と、
前記低画質符号化部が出力する動画像データを記録する低画質データ記憶部と、
前記低画質データ記憶部に記録された動画像データを他機器へ転送する通信部と、
を備える音声画像記録装置。
【請求項５】
前記低画質符号化部は、前記音声検出部において音声が一定条件を満たした場合に、条件を満たした時点より一定時間前に出力した動画像データから前記低画質データ記憶部に記憶することを特徴とする請求項４記載の音声画像記録装置。
【請求項６】
前記音声検出部は、音量が閾値を超えた場合に、低画質記録を開始あるいは停止することを特徴とする請求項４記載の音声画像記録装置。
【請求項７】
音声画像データの記録を行う装置であって、
画像を入力するカメラ部と、
前記カメラ部が撮影した画像を高画質で圧縮する高画質符号化部と、
前記高画質符号化部が出力する動画像データを記録する高画質データ記憶部と、
高画質記録中に入力画像に予め登録された画像情報を検出した場合に低画質記録を開始あるいは停止する画像検出部と、
前記カメラ部が撮影した画像を前記画像検出部の指示に従い低画質で圧縮する低画質符号化部と、
前記低画質符号化部が出力する動画像データを記録する低画質データ記憶部と、
前記低画質データ記憶部に記録された動画像データを他機器へ転送する通信部と、
を備える音声画像記録装置。
【請求項８】
前記低画質符号化部は、前記画像検出部において予め登録された画像情報を検出した場合に、画像情報を検出した時点より一定時間前に出力した動画像データから前記低画質データ記憶部に記憶することを特徴とする請求項７記載の音声画像記録装置。
【請求項９】
前記画像検出部は、予め登録された顔情報を検出した場合に、低画質記録を開始あるいは停止することを特徴とする請求項７記載の音声画像記録装置。
【請求項１０】
前記低画質符号化部は、動画共有サイトに適したフォーマットで符号化を行い、
前記通信部は、低画質で記録した動画像データを動画共有サイトへ投稿することが可能であることを特徴とする請求項１ないし請求項９のいずれかに記載の音声画像記録装置。
【請求項１１】
音声画像データの記録を行う装置であって、
高画質符号化処理を継続しながら、
低画質符号化の開始または停止を入力する手段と、
通信の開始を入力する手段と、
を備える音声画像記録装置。
【請求項１２】
音声画像データの記録を行う装置であって、
音声が一定条件を満たした場合に、
高画質符号化処理を継続しながら、
低画質符号化の開始または停止するモードへの制御を入力する手段と、
通信の開始を入力する手段と、
を備える音声画像記録装置。
【請求項１３】
音声画像データの記録を行う装置であって、
登録された画像情報を検出した場合に、
高画質符号化処理を継続しながら、
低画質符号化の開始または停止するモードへの制御を入力する手段と、
通信の開始を入力する手段と、
を備える音声画像記録装置。
【発明の詳細な説明】
【技術分野】
【０００１】
本発明は、音声画像データを記録するシステムであり、同一の入力動画像データを異なる符号化で同時記録するビデオカメラ等の音声画像記録装置に関するものである。
【背景技術】
【０００２】
近年、デジタルビデオカメラの普及が著しく、鑑賞方法もデジタルビデオカメラでの再生やメディアを介してテレビでの鑑賞にとどまらず、インターネット上の動画共有サイト等に投稿しサイト閲覧者と情報共有するというサービスが広まっている。現在、デジタルビデオカメラで記録したデータを動画共有サイト等に投稿するには、デジタルビデオカメラで記録したファイルをＰＣ(Personal Computer)で動画共有サイト等に適したフォーマットへ変換することが必要であり、かつ動画共有サイト等に投稿するにはインターネット環境が必要である。
【０００３】
特許文献１には、携帯電話機を用い動画データを送信するにあたり、長い動画データを送信先に適合した動画コーデック種別およびファイルサイズ単位に分割して動画変換を行う技術が開示されている。
【特許文献１】特開２００５−１７３８９０
【発明の開示】
【発明が解決しようとする課題】
【０００４】
しかしながら、従来の動画データ配信装置においては、動画変換するためには元ファイルの記録が完了しておく必要があるという課題があった。
【０００５】
また、動画変換はファイル全体に対して行われ、必要部分のみを抜き出すことが不可能なため、記録時間やサイズに制限のある動画共有サイト等への投稿には向いていないという課題があった。
【０００６】
そこで、本発明は記録時にメディアへの記録用高画質符号化とサイト投稿用低画質符号化を同時に行い、低画質符号化は任意に開始または停止を行うことで動画共有サイト等へ投稿するための編集を必要とせず、デジタルビデオカメラの通信機能を用いて動画共有サイト等への投稿を容易に行うことが可能な通信機能付きビデオカメラ等の音声画像記録装置を提供するものである。
【課題を解決するための手段】
【０００７】
本発明の音声画像記録装置は、音声画像データの記録を行う装置であって、画像を入力するカメラ部と、前記カメラ部が撮影した画像を高画質で圧縮する高画質符号化部と、前記高画質符号化部が出力する動画像データを記録する高画質データ記憶部と、高画質記録中に低画質記録を開始あるいは停止する低画質符号化制御部と、前記カメラ部が撮影した画像を前記低画質符号化制御部の指示に従い低画質で圧縮する低画質符号化部と、前記低画質符号化部が出力する動画像データを記録する低画質データ記憶部と、前記低画質データ記憶部に記録された動画像データを他機器へ転送する通信部とを備えるものである。
【０００８】
かかる構成により、高画質記録と同時に低画質の記録ができ、また、低画質の記録開始または記録停止は任意の箇所で行うことができるため記録と同時に編集ができる。
【０００９】
好ましくは、前記低画質符号化部は、前記低画質符号化制御部において記録開始した時点より一定時間前に出力した動画像データから前記低画質データ記憶部に記憶するものである。
【００１０】
かかる構成により、低画質の撮影開始より一定時間前からの映像を記録するため、決定的瞬間を逃さず記録できる。
【００１１】
また、本発明の音声画像記録装置は、音声画像データの記録を行う装置であって、画像を入力するカメラ部と、前記カメラ部が撮影した画像を高画質で圧縮する高画質符号化部と、前記高画質符号化部が出力する動画像データを記録する高画質データ記憶部と、高画質記録中に低画質記録を開始あるいは停止する低画質符号化制御部と、前記カメラ部が撮影した画像を前記低画質符号化制御部の指示に従い低画質で圧縮する低画質符号化部と、前記低画質符号化部が出力する動画像データを記録する低画質データ記憶部と、前記低画質符号化部が出力する動画像データを過去に記録した低画質データとシームレス接続する情報を生成するシームレス情報生成部と、前記低画質データ記憶部に記録された動画像データを他機器へ転送する通信部とを備えるものである。
【００１２】
かかる構成により、高画質記録と同時に低画質の記録ができ、また、過去に記録した低画質記録データと連結して記録することができる。
【００１３】
また、本発明の音声画像記録装置は、音声画像データの記録を行う装置であって、画像を入力するカメラ部と、前記カメラ部が撮影した画像を高画質で圧縮する高画質符号化部と、前記高画質符号化部が出力する動画像データを記録する高画質データ記憶部と、高画質記録中に音声が一定条件を満たした場合に低画質記録を開始あるいは停止する音声検出部と、前記カメラ部が撮影した画像を前記音声検出部の指示に従い低画質で圧縮する低画質符号化部と、前記低画質符号化部が出力する動画像データを記録する低画質データ記憶部と、前記低画質データ記憶部に記録された動画像データを他機器へ転送する通信部とを備えるものである。
【００１４】
かかる構成により、高画質記録と同時に低画質の記録ができ、低画質記録は入力された音声に応じて自動的に開始または停止することができる。
【００１５】
好ましくは、前記低画質符号化部は、前記音声検出部において音声が一定条件を満たした場合に、条件を満たした時点より一定時間前に出力した動画像データから前記低画質データ記憶部に記憶するものである。
【００１６】
かかる構成により、低画質の自動記録開始より一定時間前からの映像を記録するため、決定的瞬間を逃さず記録できる。
【００１７】
好ましくは、前記音声検出部は、音量が閾値を超えた場合に、低画質記録を開始あるいは停止するものである。
【００１８】
かかる構成により、高画質記録と同時に低画質の記録ができ、低画質記録は入力された音量に応じて自動的に開始または停止をすることができる。
【００１９】
また、本発明の音声画像記録装置は、音声画像データの記録を行う装置であって、画像を入力するカメラ部と、前記カメラ部が撮影した画像を高画質で圧縮する高画質符号化部と、前記高画質符号化部が出力する動画像データを記録する高画質データ記憶部と、高画質記録中に入力画像に予め登録された画像情報を検出した場合に低画質記録を開始あるいは停止する画像検出部と、前記カメラ部が撮影した画像を前記画像検出部の指示に従い低画質で圧縮する低画質符号化部と、前記低画質符号化部が出力する動画像データを記録する低画質データ記憶部と、前記低画質データ記憶部に記録された動画像データを他機器へ転送する通信部とを備えるものである。
【００２０】
かかる構成により、高画質記録と同時に低画質の記録ができ、低画質記録は予め登録しておいた画像を検出して自動的に開始または停止をするため記録後の編集作業が不要である。
【００２１】
好ましくは、前記低画質符号化部は、前記画像検出部において予め登録された画像情報を検出した場合に、画像情報を検出した時点より一定時間前に出力した動画像データから前記低画質データ記憶部に記憶するものである。
【００２２】
かかる構成により、低画質の自動記録開始より一定時間前からの映像を記録するため、決定的瞬間を逃さず記録できる。
【００２３】
好ましくは、前記画像検出部は、予め登録された顔情報を検出した場合に、低画質記録を開始あるいは停止するものである。
【００２４】
かかる構成により、高画質記録と同時に低画質の記録ができ、低画質記録は予め登録しておいた顔を検出して自動的に開始または停止をするため記録後の編集作業が不要である。
【００２５】
好ましくは、前記低画質符号化部は、動画共有サイトに適したフォーマットで符号化を行い、前記通信部は、低画質で記録した動画像データを動画共有サイトへ投稿することが可能であるものである。
【００２６】
かかる構成により、動画像を高画質記録と同時に動画共有サイト等に適したフォーマットで符号化を行い、通信によりＰＣを介すことなく動画共有サイト等へ投稿できる。
【００２７】
また、本発明の音声画像記録装置は、音声画像データの記録を行う装置であって、高画質符号化処理を継続しながら、低画質符号化の開始または停止を入力する手段と、通信の開始を入力する手段とを備えるものである。
【００２８】
かかる構成により、低画質記録開始または停止要求や、通信開始を外部入力により制御することができる。
【００２９】
また、本発明の音声画像記録装置は、音声画像データの記録を行う装置であって、音声が一定条件を満たした場合に、高画質符号化処理を継続しながら、低画質符号化の開始または停止するモードへの制御を入力する手段と、通信の開始を入力する手段とを備えるものである。
【００３０】
かかる構成により、低画質記録開始または停止を行うための音声検出の開始や、通信開始を外部入力により制御することができる。
【００３１】
また、本発明の音声画像記録装置は、音声画像データの記録を行う装置であって、登録された画像情報を検出した場合に、高画質符号化処理を継続しながら、低画質符号化の開始または停止するモードへの制御を入力する手段と、通信の開始を入力する手段とを備えるものである。
【００３２】
かかる構成により、低画質記録開始または停止を行うための画像検出の開始や、通信開始を外部入力により制御することができる。
【発明の効果】
【００３３】
本発明による音声画像記録装置によれば、デジタルビデオカメラ等でメディアへの記録と同時に動画共有サイト等への投稿に適したフォーマットで記録することができ、通信手段を備えることでＰＣを介することなく他機器へ送信することができる。さらに、低画質記録開始において、予め登録した音声や音量または画像、顔などを検出し自動的に開始することや、一定時間前より記録する機能を備えることで重要なシーンを逃すことなく記録することが可能になる。
【発明を実施するための最良の形態】
【００３４】
以下、音声画像記録装置として通信機能付きビデオカメラの実施形態について図面を参照して説明する。なお、実施形態において同じ符号を付した構成要素は同様の動作を行うので、再度の説明を省略する場合がある。
【００３５】
（第1の実施形態）
本実施形態において、同一の入力動画像データを高画質の記録を行いながら、同時にユーザーのタイミングにより低画質の記録開始または記録停止を行う処理について説明する。
【００３６】
図１は、本実施形態における通信機能付きビデオカメラのブロック図である。
【００３７】
通信機能付きビデオカメラは、カメラ画像を入力とするカメラ部１０１、入力された画像データを高画質符号化する高画質符号化部１０２、高画質符号化された高画質データを格納する高画質データ記憶部１０３、低画質記録の開始または停止を行う低画質符号化制御部１０４、入力された画像データを低画質符号化する低画質符号化部１０５、低画質符号化された低画質データを格納する低画質データ記憶部１０６、低画質データを他機器に転送する無線通信部１０７を具備する。
【００３８】
通信機能付きビデオカメラに関する一連の流れを説明する。
【００３９】
カメラ部１０１は、ユーザーが記録したい映像をカメラ入力とし、高画質符号化部１０２は、カメラ部１０１が撮影した画像を高画質で圧縮する。
【００４０】
ここでの高画質とは、例えば、コーデックはＭＰＥＧ−４  ＡＶＣ／Ｈ．２６４、画角は１９２０×１０８０、フレームレートは６０ｆｐｓである。
【００４１】
高画質データ記憶部１０３は、高画質符号化部１０２が出力する動画像データを記録する。
【００４２】
高画質記録途中にサイト投稿用の低画質の記録を開始する場合、ユーザーからの入力情報により低画質符号化制御部１０４が低画質符号化部１０５を起動し、低画質記録開始を要求する。低画質記録を停止する場合は、再度ユーザーからの入力情報または低画質記録が所定時間を越えると、低画質符号化制御部１０４が低画質符号化部１０５に対し停止を要求する。
【００４３】
低画質符号化部１０５は、カメラ部１０１が撮影した画像を低画質符号化制御の指示に従い低画質で圧縮し、低画質データ記憶部１０６は、低画質符号化部１０５が出力する動画像データを記録する。
【００４４】
ここでの低画質とは、例えば、コーデックはＭＰＥＧ−４、画角は３２０×２４０、フレームレートは３０ｆｐｓである。
【００４５】
また、プリレコードと呼ばれる一定時間前より記録する機能設定がされている場合は、低画質符号化制御部１０４において記録開始した時点より一定時間前に出力した動画像データから低画質データ記憶部１０６に記憶することも可能である。
【００４６】
プリレコードとは、プリレコード設定されスタンバイ状態の場合に一定時間の映像を内部メモリ等に常にストック・更新する機能である。具体的には、一定時間の映像を記録と消去を繰り返し常に最近の一定時間の映像をストックする。低画質記録が開始されると、内蔵メモリ内の映像が低画質データ記憶部１０６に移動され、以降に記録される低画質データと接続する。一定時間前とは、例えば、１０秒前などである。
【００４７】
無線通信部１０７は、低画質データ記憶部１０６に記録された動画像データを他機器へ転送する。無線通信とは、例えば、無線ＬＡＮなどである。
【００４８】
無線通信部１０７は、低画質で記録した動画像データを動画共有サイトへ投稿することが可能であることを特徴とする。
【００４９】
動画共有サイトへの投稿とは、例えば、予め動画共有サイトのアドレスを登録しておき、無線通信部１０７で動画共有サイトに接続して、低画質データ記憶部１０６の中から必要な低画質データを指定して投稿する、などである。
【００５０】
なお、マイク（図示せず）にて、音声が入力される。
【００５１】
次に、通信機能付きビデオカメラの動作について、図２のフローチャートを用いて説明する。
【００５２】
まず、ユーザーが撮影対象に向けたカメラ部１０１で撮影対象を撮影する（ステップＳ２０１）。
【００５３】
そして、カメラ部１０１が撮影した画像を高画質符号化部１０２にて高画質で圧縮する。（ステップＳ２０２）。
【００５４】
次に、高画質で圧縮された動画像データを、高画質データ記録部１０３に保存する（ステップＳ２０３）。
【００５５】
ここで、低画質記録を記録開始する要求があるかを確認する（ステップＳ２０４）。要求がある場合は、高画質で圧縮した同じ画像を、高画質より低画質コーデック、低ビットレート、低フレームレート、動画共有サイトに投稿可能なファイルフォーマットを満たすような設定で低画質符号化部１０５にて圧縮する（ステップＳ２０５）。
【００５６】
低画質で圧縮された動画像データを低画質データ記憶部１０６に保存し（ステップＳ２０６）、ステップＳ２０４で低画質記録要求がない場合は、低画質データは記録しない。
【００５７】
低画質データ記憶部１０６に保存したデータを無線通信部１０７を用いて、例えば、動画共有サイトへ投稿する（ステップＳ２０７）。
【００５８】
次に、通信機能付きビデオカメラのプリレコード機能設定時の動作について、図３のフローチャートを用いて説明する。
【００５９】
まず、ユーザーが撮影対象に向けたカメラ部１０１で撮影対象を撮影する（ステップＳ３０１）。
【００６０】
そして、カメラ部１０１が撮影した画像を高画質符号化部１０２にて高画質で圧縮する。（ステップＳ３０２）。
【００６１】
次に、高画質で圧縮された動画像データを、高画質データ記録部１０３に保存する（ステップＳ３０３）。
【００６２】
また、高画質で圧縮した同じ画像を、高画質より低画質コーデック、低ビットレート、低フレームレート、動画共有サイトに投稿可能なファイルフォーマットを満たすような設定で低画質符号化部１０５にて圧縮する（ステップＳ３０４）。
【００６３】
ここで、低画質記録を記録開始する要求があるかを確認する（ステップＳ３０５）。要求がある場合は、低画質データ記憶部１０６に保存し（ステップＳ３０６）、要求がない場合は、低画質データを破棄する（ステップＳ３０７）。
【００６４】
低画質データ記憶部１０６に保存したデータを無線通信部１０７を用いて、例えば、動画共有サイトへ投稿する（ステップＳ３０８）。
【００６５】
図４は、高画質データと低画質データの保存の概念図である。
【００６６】
図４に示すとおり、ユーザーからの要求があるまで高画質のデータのみ出力され記録される。ユーザーからの要求のあった時点から低画質データの出力が始まり低画質データ記憶部１０６に保存していく。ユーザーが低画質記録を停止または低画質記録が所定時間を越えると、低画質データの出力は停止する。
【００６７】
図５は、プリレコード機能設定された場合の高画質データと低画質データの保存または破棄の概念図である。
【００６８】
図５に示すとおり、高画質と低画質のデータが共に出力されるが、高画質記録時は高画質のデータのみ記録され、低画質のデータは破棄される。ユーザーからの要求があると、要求のあった時点より一定時間前の低画質データから低画質データ記憶部１０６に保存していく。ユーザーが低画質記録を停止または低画質記録が所定時間を越えると、低画質データは再び破棄されるようになる。
【００６９】
このように、同じ入力画像を高画質と低画質で同時記録する装置において、低画質の記録開始または停止タイミングを制御可能な低画質符号化制御部１０４を備えることにより、ユーザーの要求する部分のみの低画質記録が可能となる。
【００７０】
図６は、通信機能付きビデオカメラの外観を示す図である。
【００７１】
図６に示すとおり、通信機能付きビデオカメラは、高画質符号化処理を継続しながら低画質記録を開始または停止を行う入力手段６０２と、無線通信を開始する入力手段６０１を備える。
【００７２】
以上、説明したように、本実施形態によると、同一の画像を高画質記録と低画質記録として同時に行うことが可能で、動画共有サイトへ投稿する際の編集を必要としない低画質データを記録することが可能となる。
【００７３】
（第２の実施形態）
本実施形態において、同一の入力動画像データを高画質の記録を行いながら、同時にユーザーのタイミングにより低画質の記録開始または記録停止を行い、過去に記録した低画質記録データと連結して記録できる処理について説明する。
【００７４】
図７は、本実施形態における通信機能付きビデオカメラのブロック図である。
【００７５】
通信機能付きビデオカメラは、カメラ画像を入力とするカメラ部７０１、入力された画像データを高画質符号化する高画質符号化部７０２、高画質符号化された高画質データを格納する高画質データ記憶部７０３、低画質記録の開始または停止を行う低画質符号化制御部７０４、入力された画像データを低画質符号化する低画質符号化部（シームレス機能付き）７０５、過去に記録されている低画質データとシームレス接続するために必要なシームレス情報を作成するシームレス情報生成部７０６、低画質符号化された低画質データを格納する低画質データ記憶部７０７、低画質データを他機器に転送する無線通信部７０８を具備する。
【００７６】
通信機能付きビデオカメラに関する一連の流れを説明する。
【００７７】
カメラ部７０１は、ユーザーが記録したい映像をカメラ入力とし、高画質符号化部７０２は、カメラ部７０１が撮影した画像を高画質で圧縮する。
【００７８】
ここでの高画質とは、例えば、コーデックはＭＰＥＧ−４  ＡＶＣ／Ｈ．２６４、画角は１９２０×１０８０、フレームレートは６０ｆｐｓである。
【００７９】
高画質データ記憶部７０３は、高画質符号化部７０２が出力する動画像データを記録する。
【００８０】
高画質記録途中にサイト投稿用の低画質の記録を開始する場合、ユーザーからの入力情報により低画質符号化制御部７０４が低画質符号化部７０５を起動し、低画質記録開始を要求する。低画質記録を停止する場合は、再度ユーザーからの入力情報または低画質記録が所定時間を越えると、低画質符号化制御部７０４が低画質符号化部７０５に対し停止を要求する。
【００８１】
低画質符号化部７０５は、カメラ部７０１が撮影した画像を低画質符号化制御の指示に従い低画質で圧縮し、低画質データ記憶部７０７は、低画質符号化部７０５が出力する動画像データを記録する。
【００８２】
ここでの低画質とは、例えば、コーデックはＭＰＥＧ−４、画角は３２０×２４０、フレームレートは３０ｆｐｓである。
【００８３】
シームレス情報生成部７０６は、低画質符号化部７０５が出力する動画像データを過去に記録した低画質データとシームレス接続する情報を生成する。
【００８４】
無線通信部７０８は、低画質データ記憶部７０７に記録された動画像データを他機器へ転送する。無線通信とは、例えば、無線ＬＡＮなどである。
【００８５】
無線通信部７０８は、低画質で記録した動画像データを動画共有サイトへ投稿することが可能であることを特徴とする。
【００８６】
動画共有サイトへの投稿とは、例えば、予め動画共有サイトのアドレスを登録しておき、無線通信部７０８で動画共有サイトに接続して、低画質データ記憶部７０７の中から必要な低画質データを指定して投稿する、などである。
【００８７】
なお、マイク（図示せず）にて、音声が入力される。
【００８８】
次に、通信機能付きビデオカメラの動作について、図８のフローチャートを用いて説明する。
【００８９】
まず、ユーザーが撮影対象に向けたカメラ部７０１で撮影対象を撮影する（ステップＳ８０１）。
【００９０】
そして、カメラ部７０１が撮影した画像を高画質符号化部７０２にて高画質で圧縮する。（ステップＳ８０２）。
【００９１】
次に、高画質で圧縮された動画像データを、高画質データ記録部７０３に保存する（ステップＳ８０３）。
【００９２】
ここで、低画質記録を記録開始する要求があるかを確認する（ステップＳ８０４）。要求がある場合は、高画質で圧縮した同じ画像を、高画質より低画質コーデック、低ビットレート、低フレームレート、動画共有サイトに投稿可能なファイルフォーマットを満たすような設定で低画質符号化部７０５にて圧縮する（ステップＳ８０５）。
【００９３】
さらに、過去に記録したデータと連結し（ステップＳ８０６）、低画質データ記憶部７０７に保存する（ステップＳ８０７）。ステップＳ８０４で低画質記録要求がない場合は、低画質データは記録しない。
【００９４】
低画質データ記憶部７０７に保存したデータを無線通信部７０８を用いて、例えば、動画共有サイトへ投稿する（ステップＳ８０８）。
【００９５】
図９は、シームレス接続を行う場合の高画質データと低画質データの保存の概念図である。
【００９６】
図９に示すとおり、ユーザーからの要求があるまで高画質のデータのみ出力され記録される。ユーザーからの要求のあった時点から低画質データの出力が始まり、過去に記録されたデータと接続し低画質データ記憶部７０７に保存していく。ユーザーが低画質記録を停止または低画質記録が所定時間を越えると、低画質データの出力は停止する。
【００９７】
このように、同じ入力画像を高画質と低画質で同時記録する装置において、シームレス情報生成部７０６を備えることにより、過去に記録したデータと連結することが可能となる。
【００９８】
また、本実施形態の通信機能付きビデオカメラの外観図は、図６に示した第１の実施形態と同様である。
【００９９】
以上、説明したように、本実施形態によると、同一の画像を高画質記録と低画質記録として同時に記録することが可能で、動画共有サイトへ投稿する際の編集を必要としない低画質データを記録することが可能となる。また、低画質記録が所定時間未満で過去に同様の低画質記録があり、連結させて1ファイルとして記録することが可能となる。
【０１００】
（第３の実施形態）
本実施形態において、同一の入力動画像データを高画質の記録を行いながら同時に低画質の記録を行うが、低画質記録開始のタイミングは音声が一定条件を満たした場合に記録を行う処理について説明する。
【０１０１】
図１０は、本実施形態における通信機能付きビデオカメラのブロック図である。
【０１０２】
通信機能付きビデオカメラは、カメラ画像を入力とするカメラ部１００１、入力された画像データを高画質符号化する高画質符号化部１００２、高画質符号化された高画質データを格納する高画質データ記憶部１００３、高画質記録中に音声が一定条件を満たした場合に低画質記録を開始あるいは停止する音声検出部１００４、入力された画像データを低画質符号化する低画質符号化部１００５、低画質符号化された低画質データを格納する低画質データ記憶部１００６、低画質データを他機器に転送する無線通信部１００７を具備する。
【０１０３】
通信機能付きビデオカメラに関する一連の流れを説明する。
【０１０４】
カメラ部１００１は、ユーザーが記録したい映像をカメラ入力とし、高画質符号化部１００２は、カメラ部１００１が撮影した画像を高画質で圧縮する。
【０１０５】
ここでの高画質とは、例えば、コーデックはＭＰＥＧ−４  ＡＶＣ／Ｈ．２６４、画角は１９２０×１０８０、フレームレートは６０ｆｐｓである。
【０１０６】
高画質データ記憶部１００３は、高画質符号化部１００２が出力する動画像データを記録する。
【０１０７】
高画質記録途中にサイト投稿用の低画質の記録を開始する場合、音声が一定条件を満たした場合に音声検出部１００４が低画質符号化部１００５を起動し、低画質記録開始を要求する。低画質記録を停止する場合は、音声が一定条件を満たさなくなった場合または低画質記録が所定時間を越えると、音声検出部１００４が低画質符号化部１００５に対し停止を要求する。
【０１０８】
ここで音声の一定条件とは、例えば、予め登録しておいた音や言葉を検知した場合などである。
【０１０９】
また、音声検出部１００４音量が閾値を超えた場合に、低画質記録を開始あるいは停止するものでもよい。
【０１１０】
低画質符号化部１００５は、カメラ部１００１が撮影した画像を音声検出部１００４の指示に従い低画質で圧縮し、低画質データ記憶部１００６は、低画質符号化部１００５が出力する動画像データを記録する。
【０１１１】
ここでの低画質とは、例えば、コーデックはＭＰＥＧ−４、画角は３２０×２４０、フレームレートは３０ｆｐｓである。
【０１１２】
また、プリレコードと呼ばれる一定時間前より記録する機能設定がされている場合は、音声検出部１００４において記録開始した時点より一定時間前に出力した動画像データから低画質データ記憶部１００６に記憶することも可能である。
【０１１３】
プリレコードとは、プリレコード設定されスタンバイ状態の場合に一定時間の映像を内部メモリ等に常にストック・更新する機能である。具体的には、一定時間の映像を記録と消去を繰り返し常に最近の一定時間の映像をストックする。低画質記録が開始されると、内蔵メモリ内の映像が低画質データ記憶部１００６に移動され、以降に記録される低画質データと接続する。一定時間前とは、例えば、１０秒前などである。
【０１１４】
無線通信部１００７は、低画質データ記憶部１００６に記録された動画像データを他機器へ転送する。無線通信とは、例えば、無線ＬＡＮなどである。
【０１１５】
無線通信部１００７は、低画質で記録した動画像データを動画共有サイトへ投稿することが可能であることを特徴とする。
【０１１６】
動画共有サイトへの投稿とは、例えば、予め動画共有サイトのアドレスを登録しておき、無線通信部１００７で動画共有サイトに接続して、低画質データ記憶部１００６の中から必要な低画質データを指定して投稿する、などである。
【０１１７】
なお、マイク（図示せず）にて、音声が入力され、音声検出部１００４にて音声の検出が行われる。
【０１１８】
次に、通信機能付きビデオカメラの動作について、図１１のフローチャートを用いて説明する。
【０１１９】
まず、ユーザーが撮影対象に向けたカメラ部１００１で撮影対象を撮影する（ステップＳ１１０１）。
【０１２０】
そして、カメラ部１００１が撮影した画像を高画質符号化部１００２にて高画質で圧縮する。（ステップＳ１１０２）。
【０１２１】
次に、高画質で圧縮された動画像データを、高画質データ記録部１００３に保存する（ステップＳ１１０３）。
【０１２２】
ここで、音声が一定条件を満たしているかを確認する（ステップＳ１１０４）。条件を満たしている場合は、高画質で圧縮した同じ画像を、高画質より低画質コーデック、低ビットレート、低フレームレート、動画共有サイトに投稿可能なファイルフォーマットを満たすような設定で低画質符号化部１００５にて圧縮する（ステップＳ１１０５）。
【０１２３】
低画質で圧縮された動画像データを低画質データ記憶部１００６に保存し（ステップＳ１１０６）、ステップＳ１１０４で条件を満たさない場合は、低画質データは記録しない。
【０１２４】
低画質データ記憶部１００６に保存したデータを無線通信部１００７を用いて、例えば、動画共有サイトへ投稿する（ステップＳ１１０７）。
【０１２５】
次に、通信機能付きビデオカメラのプリレコード機能設定時の動作について、図１２のフローチャートを用いて説明する。
【０１２６】
まず、ユーザーが撮影対象に向けたカメラ部１００１で撮影対象を撮影する（ステップＳ１２０１）。
【０１２７】
そして、カメラ部１００１が撮影した画像を高画質符号化部１００２にて高画質で圧縮する。（ステップＳ１２０２）。
【０１２８】
次に、高画質で圧縮された動画像データを、高画質データ記録部１００３に保存する（ステップＳ１２０３）。
【０１２９】
また、高画質で圧縮した同じ画像を、高画質より低画質コーデック、低ビットレート、低フレームレート、動画共有サイトに投稿可能なファイルフォーマットを満たすような設定で低画質符号化部１００５にて圧縮する（ステップＳ１２０４）。
【０１３０】
ここで、音声が一定条件を満たしているかを確認する（ステップＳ１２０５）。条件を満たしている場合は、低画質データ記憶部１００６に保存し（ステップＳ１２０６）、条件を満たさない場合は、低画質データを破棄する（ステップＳ１２０７）。
【０１３１】
低画質データ記憶部１００６に保存したデータを無線通信部１００７を用いて、例えば、動画共有サイトへ投稿する（ステップＳ１２０８）。
【０１３２】
図１３は、音声検出における高画質データと低画質データの保存の概念図である。
【０１３３】
図１３に示すとおり、音声が一定条件を満たすまで高画質のデータのみ出力され記録される。音声が一定条件を満たした時点から低画質データの出力が始まり低画質データ記憶部１００６に保存していく。音声が一定条件を満たさなくなるかまたは低画質記録が所定時間を越えると、低画質データの出力は停止する。
【０１３４】
図１４は、プリレコード機能設定された場合の高画質データと低画質データの保存または破棄の概念図である。
【０１３５】
図１４に示すとおり、高画質と低画質のデータが共に出力されるが、高画質記録時は高画質のデータのみ記録され、低画質のデータは破棄される。音声が一定条件を満たすと、音声を検出した時点より一定時間前の低画質データから低画質データ記憶部１００６に保存していく。音声未検出または低画質記録が所定時間を越えると、低画質データは再び破棄されるようになる。
【０１３６】
図１５は、音声検出における高画質データと低画質データの保存の概念図である。
【０１３７】
図１５に示すとおり、音量が閾値を超えるまで高画質のデータのみ出力され記録される。音量が閾値を越えた時点から低画質データの出力が始まり低画質データ記憶部１００６に保存していく。音量が閾値以下または低画質記録が所定時間を越えると、低画質データの出力は停止する。
【０１３８】
このように、同じ入力画像を高画質と低画質で同時記録する装置において、低画質の記録開始または停止タイミングを制御可能な音声検出部１００４を備えることにより、自動的にユーザーが求めるシーンの低画質記録が可能となる。
【０１３９】
図１６は、通信機能付きビデオカメラの外観を示す図である。
【０１４０】
図１６に示すとおり、通信機能付きビデオカメラは、音声が一定条件を満たした場合に高画質符号化処理を継続しながら低画質符号化の開始または停止するモードへの制御を入力する手段１６０２と、無線通信を開始する入力手段１６０１を備える。
【０１４１】
以上、説明したように、本実施形態によると、同一の画像を高画質記録と低画質記録として同時に記録することが可能で、動画共有サイトへ投稿する際の編集を必要としない低画質データを記録することが可能となる。また、音認識により、ユーザーが操作しなくても自動的に低画質記録を行うことが可能となる。
【０１４２】
（第４の実施形態）
本実施形態において、同一の入力動画像データを高画質の記録を行いながら同時に低画質の記録を行うが、低画質記録開始のタイミングは予め登録された画像情報を検出した場合に記録を行う処理について説明する。
【０１４３】
図４は、本実施形態における通信機能付きビデオカメラのブロック図である。
【０１４４】
通信機能付きビデオカメラは、カメラ画像を入力とするカメラ部１７０１、入力された画像データを高画質符号化する高画質符号化部１７０２、高画質符号化された高画質データを格納する高画質データ記憶部１７０３、高画質記録中に予め登録された画像情報を検出した場合に低画質記録を開始あるいは停止する画像検出部１７０４、入力された画像データを低画質符号化する低画質符号化部１７０５、低画質符号化された低画質データを格納する低画質データ記憶部１７０６、低画質データを他機器に転送する無線通信部１７０７を具備する。
【０１４５】
通信機能付きビデオカメラに関する一連の流れを説明する。
【０１４６】
カメラ部１７０１は、ユーザーが記録したい映像をカメラ入力とし、高画質符号化部１７０２は、カメラ部１７０１が撮影した画像を高画質で圧縮する。
【０１４７】
ここでの高画質とは、例えば、コーデックはＭＰＥＧ−４  ＡＶＣ／Ｈ．２６４、画角は１９２０×１０８０、フレームレートは６０ｆｐｓである。
【０１４８】
高画質データ記憶部１７０３は、高画質符号化部１７０２が出力する動画像データを記録する。
【０１４９】
高画質記録途中にサイト投稿用の低画質の記録を開始する場合、予め登録された画像情報を検出した画像検出部１７０４が低画質符号化部１７０５を起動し、低画質記録開始を要求する。低画質記録を停止する場合は、予め登録された画像情報が検出できなくなるまたは低画質記録が所定時間を越えると、画像検出部１７０４が低画質符号化部１７０５に対し停止を要求する。
【０１５０】
ここで予め登録された画像情報とは、風景、建造物、生物、植物、物、人物などである。
【０１５１】
また、画像検出部１７０４は、予め登録された顔情報を検出した場合に、低画質記録を開始あるいは停止するものでもよい。
【０１５２】
低画質符号化部１７０５は、カメラ部１７０１が撮影した画像を画像検出部１７０４の指示に従い低画質で圧縮し、低画質データ記憶部１７０６は、低画質符号化部１７０５が出力する動画像データを記録する。
【０１５３】
ここでの低画質とは、例えば、コーデックはＭＰＥＧ−４、画角は３２０×２４０、フレームレートは３０ｆｐｓである。
【０１５４】
また、プリレコードと呼ばれる一定時間前より記録する機能設定がされている場合は、画像検出部１７０４において記録開始した時点より一定時間前に出力した動画像データから低画質データ記憶部１７０６に記憶することも可能である。
【０１５５】
プリレコードとは、プリレコード設定されスタンバイ状態の場合に一定時間の映像を内部メモリ等に常にストック・更新する機能である。具体的には、一定時間の映像を記録と消去を繰り返し常に最近の一定時間の映像をストックする。低画質記録が開始されると、内蔵メモリ内の映像が低画質データ記憶部１７０６に移動され、以降に記録される低画質データと接続する。一定時間前とは、例えば、１０秒前などである。
【０１５６】
無線通信部１７０７は、低画質データ記憶部１７０６に記録された動画像データを他機器へ転送する。無線通信とは、例えば、無線ＬＡＮなどである。
【０１５７】
無線通信部１７０７は、低画質で記録した動画像データを動画共有サイトへ投稿することが可能であることを特徴とする。
【０１５８】
動画共有サイトへの投稿とは、例えば、予め動画共有サイトのアドレスを登録しておき、無線通信部１７０７で動画共有サイトに接続して、低画質データ記憶部１７０６の中から必要な低画質データを指定して投稿する、などである。
【０１５９】
なお、マイク（図示せず）にて、音声が入力される。
【０１６０】
次に、通信機能付きビデオカメラの動作について、図１８のフローチャートを用いて説明する。
【０１６１】
まず、ユーザーが撮影対象に向けたカメラ部１７０１で撮影対象を撮影する（ステップＳ１８０１）。
【０１６２】
そして、カメラ部１７０１が撮影した画像を高画質符号化部１７０２にて高画質で圧縮する。（ステップＳ１８０２）。
【０１６３】
次に、高画質で圧縮された動画像データを、高画質データ記録部１７０３に保存する（ステップＳ１８０３）。
【０１６４】
ここで、登録された画像情報を検出したかを確認する（ステップＳ１８０４）。画像情報を検出した場合は、高画質で圧縮した同じ画像を、高画質より低画質コーデック、低ビットレート、低フレームレート、動画共有サイトに投稿可能なファイルフォーマットを満たすような設定で低画質符号化部１７０５にて圧縮する（ステップＳ１８０５）。
【０１６５】
低画質で圧縮された動画像データを低画質データ記憶部１７０６に保存し（ステップＳ１８０６）、ステップＳ１８０４で画像情報を検出しない場合は、低画質データは記録しない。
【０１６６】
低画質データ記憶部１７０６に保存したデータを無線通信部１７０７を用いて、例えば、動画共有サイトへ投稿する（ステップＳ１８０７）。
【０１６７】
次に、通信機能付きビデオカメラのプリレコード機能設定時の動作について、図１９のフローチャートを用いて説明する。
【０１６８】
まず、ユーザーが撮影対象に向けたカメラ部１７０１で撮影対象を撮影する（ステップＳ１９０１）。
【０１６９】
そして、カメラ部１７０１が撮影した画像を高画質符号化部１７０２にて高画質で圧縮する。（ステップＳ１９０２）。
【０１７０】
次に、高画質で圧縮された動画像データを、高画質データ記録部１７０３に保存する（ステップＳ１９０３）。
【０１７１】
また、高画質で圧縮した同じ画像を、高画質より低画質コーデック、低ビットレート、低フレームレート、動画共有サイトに投稿可能なファイルフォーマットを満たすような設定で低画質符号化部１７０５にて圧縮する（ステップＳ１９０４）。
【０１７２】
ここで、登録された画像情報を検出したかを確認する（ステップＳ１９０５）。画像情報を検出した場合は、低画質データ記憶部１７０６に保存し（ステップＳ１９０６）、画像情報を検出しない場合は、低画質データを破棄する（ステップＳ１９０７）。
【０１７３】
低画質データ記憶部１７０６に保存したデータを無線通信を用いて、例えば動画共有サイトへ投稿する（ステップＳ１９０８）。
【０１７４】
図２０は、画像検出における高画質データと低画質データの保存の概念図である。
【０１７５】
図２０に示すとおり、予め登録された画像情報を検出するまで高画質のデータのみ出力され記録される。予め登録された画像情報を検出した時点から低画質データの出力が始まり低画質データ記憶部１７０６に保存していく。予め登録された画像情報を検出できなくなったまたは低画質記録が所定時間を越えると、低画質データの出力は停止する。
【０１７６】
図２１は、プリレコード機能設定された場合の高画質データと低画質データの保存または破棄の概念図である。
【０１７７】
図２１に示すとおり、高画質と低画質のデータが共に出力されるが、高画質記録時は高画質のデータのみ記録され、低画質のデータは破棄される。予め登録された画像情報を検出すると、画像を検出した時点より一定時間前の低画質データから低画質データ記憶部１７０６に保存していく。画像未検出または低画質記録が所定時間を越えると、低画質データは再び破棄されるようになる。
【０１７８】
図２２は、顔情報検出における高画質データと低画質データの保存の概念図である。
【０１７９】
図２２に示すとおり、予め登録された顔情報を検出するまで高画質のデータのみ出力され記録される。予め登録された顔情報を検出した時点から低画質データの出力が始まり低画質データ記憶部１７０６に保存していく。顔情報未検出または低画質記録が所定時間を越えると、低画質データの出力は停止する。
【０１８０】
このように、同じ入力画像を高画質と低画質で同時記録する装置において、低画質の記録開始または停止タイミングを制御可能な画像検出部１７０４を備えることにより、自動的にユーザーが求めるシーンの低画質記録が可能となる。
【０１８１】
図２３は、通信機能付きビデオカメラの外観を示す図である。
【０１８２】
図２３に示すとおり、通信機能付きビデオカメラは、登録された画像情報を検出した場合に高画質符号化処理を継続しながら低画質符号化の開始または停止するモードへの制御を入力する手段２３０２と、無線通信を開始する入力手段２３０１を備える。
【０１８３】
以上、説明したように、本実施形態によると、同一の画像を高画質記録と低画質記録として同時に記録することが可能で、動画共有サイトへ投稿する際の編集を必要としない低画質データを記録することが可能となる。また、画像認識により、ユーザーが操作しなくても自動的に低画質記録を行うことが可能となる。
【０１８４】
上記第１〜４の実施形態に基づいて本発明に係る通信機能付きビデオカメラを説明してきたが、本発明の実施形態はこれらに限るものではない。以下にその変形例について述べる。
【０１８５】
（１）上記実施形態において、本発明に係る通信機能付きビデオカメラを説明してきたが、ハードウェアあるいはソフトウェアいずれで実現してもよい。また、ハードウェアで処理する部分やソフトウェアで処理する部分が混在してもよい。
【０１８６】
（２）上記実施形態において、通常画質と高画質での符号化フォーマットの一例を示しているが、これらに限定するものではない。
【０１８７】
（３）上記実施形態において、通信時の手段として無線ＬＡＮを一例として示しているが、有線通信等これらに限定するものではない。
【０１８８】
（４）上記実施形態において、通信機能を用いてデータ通信を行う目的は動画共有サイトに限定するものではなく、通信先はＰＣやサーバー、ＴＶまたはＤＶＤレコーダーあるいはブルーレイレコーダなどでもよい。
【０１８９】
（５）上記実施形態において、音声検出手段において予め登録している音の種類や言葉または音量について一例を示しているが、検出手段はこれらに限定するものではない。
【０１９０】
（６）上記実施形態において、画像検出手段において予め登録している画像または顔について一例を示しているが、検出手段はこれらに限定するものではない。
【０１９１】
（７）上記実施形態において、低画質で記録されたデータはリアルタイム投稿でなくてもよい。
【０１９２】
（８）上記各実施形態において、各処理（各機能）は、単一の装置（システム）によって集中処理されることによって実現されてもよく、あるいは、複数の装置によって分散処理されることによって実現されてもよい。
【産業上の利用可能性】
【０１９３】
以上のように、本発明にかかる音声画像記録装置は、２種類の符号化部を有し、記録中に必要な部分のみ低画質記録することにより、必要以上の低画質記録を行うことがなく、また、通信部を持つことによりＰＣを介すことなく他機器への送信が可能である、デジタルビデオカメラや携帯電話機等として有用である。
【図面の簡単な説明】
【０１９４】
【図１】本発明の第１の実施形態における通信機能付きビデオカメラのブロック図
【図２】本発明の第１の実施形態における通信機能付きビデオカメラの動作について説明するフローチャート
【図３】本発明の第１の実施形態における通信機能付きビデオカメラのプリレコード設定時の動作について説明するフローチャート
【図４】本発明の第１の実施形態における高画質データと低画質データの保存または破棄の概念図
【図５】本発明の第１の実施形態におけるプリレコード設定された場合の高画質データと低画質データの保存または破棄の概念図
【図６】本発明の第１の実施形態における通信機能付きビデオカメラの外観図
【図７】本発明の第２の実施形態における通信機能付きビデオカメラのブロック図
【図８】本発明の第２の実施形態における通信機能付きビデオカメラの動作について説明するフローチャート
【図９】本発明の第２の実施形態におけるシームレス接続を行う場合の高画質データと低画質データの保存または破棄の概念図
【図１０】本発明の第３の実施形態における通信機能付きビデオカメラのブロック図
【図１１】本発明の第３の実施形態における通信機能付きビデオカメラの動作について説明するフローチャート
【図１２】本発明の第３の実施形態における通信機能付きビデオカメラのプリレコード設定時の動作について説明するフローチャート
【図１３】本発明の第３の実施形態における音声検出における高画質データと低画質データの保存または破棄の概念図
【図１４】本発明の第３の実施形態におけるプリレコード設定された場合の高画質データと低画質データの保存または破棄の概念図
【図１５】本発明の第３の実施形態における音量検出における高画質データと低画質データの保存または破棄の概念図
【図１６】本発明の第３の実施形態における通信機能付きビデオカメラの外観図
【図１７】本発明の第４の実施形態における通信機能付きビデオカメラのブロック図
【図１８】本発明の第４の実施形態における通信機能付きビデオカメラの動作について説明するフローチャート
【図１９】本発明の第４の実施形態における通信機能付きビデオカメラのプリレコード設定時の動作について説明するフローチャート
【図２０】本発明の第４の実施形態における画像検出における高画質データと低画質データの保存または破棄の概念図
【図２１】本発明の第４の実施形態におけるプリレコード設定された場合の高画質データと低画質データの保存または破棄の概念図
【図２２】本発明の第４の実施形態における顔画像検出における高画質データと低画質データの保存または破棄の概念図
【図２３】本発明の第４の実施形態における通信機能付きビデオカメラの外観図
【符号の説明】
【０１９５】
１０１、７０１、１００１、１７０１  カメラ部
１０２、７０２、１００２、１７０２  高画質符号化部
１０３、７０３、１００３、１７０３  高画質データ記憶部
１０４、７０４  低画質符号化制御部
１０５、７０５、１００５、１７０５  低画質符号化部
１０６、７０７、１００６、１７０６  低画質データ記憶部
１０７、７０８、１００７、１７０７  無線通信部
７０６  シームレス情報生成部
１００４  音声検出部
１７０４  画像検出部
６０１、１６０１、２３０１  無線通信を開始する入力手段
６０２  低画質記録を開始または停止する入力手段
１６０２、２３０２  低画質符号化の開始または停止するモードへの制御を入力する手段
【図１】
2010021774.tif 000003
【図２】
2010021774.tif 000004
【図３】
2010021774.tif 000005
【図４】
2010021774.tif 000006
【図５】
2010021774.tif 000007
【図６】
2010021774.tif 000008
【図７】
2010021774.tif 000009
【図８】
2010021774.tif 000010
【図９】
2010021774.tif 000011
【図１０】
2010021774.tif 000012
【図１１】
2010021774.tif 000013
【図１２】
2010021774.tif 000014
【図１３】
2010021774.tif 000015
【図１４】
2010021774.tif 000016
【図１５】
2010021774.tif 000017
【図１６】
2010021774.tif 000018
【図１７】
2010021774.tif 000019
【図１８】
2010021774.tif 000020
【図１９】
2010021774.tif 000021
【図２０】
2010021774.tif 000022
【図２１】
2010021774.tif 000023
【図２２】
2010021774.tif 000024
【図２３】
2010021774.tif 000025